(57)【要約】【課題】ベース部材の上面に多数本の葉状片が上方に向かって形成された床用敷物において、靴底の汚れを適切に除去するとともに、小動物の侵入をも防止することができる床用敷物を提供すること。【解決手段】平面視略矩形状のベース部材１と、ベース部材１の上面の略全領域において、上方に向かって延びるように平均して形成された多数本の葉状片２と、ベース部材１の上面に上方に向かって延びるように形成された複数の突起３と、を備えた、床用敷物Ｘ１であって、突起３の高さは、葉状片２の高さよりも高くされているとともに、突起３の横断面の面積は、葉状片２の横断面の面積よりも大きくされている。【選択図】図１
0003129634.tif 000002
【実用新案登録請求の範囲】
【請求項１】
平面視略矩形状のベース部材と、
上記ベース部材の上面の略全領域において、上方に向かって延びるように平均して形成された多数本の葉状片と、
上記ベース部材の上面に上方に向かって延びるように形成された複数の突起と、を備えた、床用敷物であって、
上記突起の高さは、上記葉状片の高さよりも高くされているとともに、上記突起の横断面の面積は、上記葉状片の横断面の面積よりも大きくされていることを特徴とする、床用敷物。
【請求項２】
上記ベース部材の上面には格子が設けられているとともに、この格子の目の少なくとも一部は閉塞されて閉塞部が形成されており、
上記葉状片は、上記格子に沿って形成されているとともに、上記突起は、上記閉塞部上に形成されている、請求項１に記載の床用敷物。
【請求項３】
上記突起は、上記ベース部材の上面の略全領域にわたって形成されている、請求項２に記載の床用敷物。
【請求項４】
上記突起は、上記ベース部材の上面の所定の領域に形成されており、この所定の領域は分離された複数の群からなる、請求項２に記載の床用敷物。
【請求項５】
上記突起は、その横断面の面積が先端に向かうにつれて小さくなるように構成されている、請求項１ないし４のいずれかに記載の床用敷物。
【請求項６】
上記突起は、相互に隣接するものどうしの間隔が２ｃｍ以下とされている、請求項１ないし５のいずれかに記載の床用敷物。
【考案の詳細な説明】
【技術分野】
【０００１】
本考案は、床用敷物に関し、詳しくは、ベース部材の上面に多数本の葉状片が上方に向かって形成された床用敷物に関する。
【背景技術】
【０００２】
従来、屋内外における通路やフロアには、靴底の汚れの除去、下地の保護、あるいは装飾などを目的として、床用敷物を所要箇所に敷設することが行われている。この床用敷物としては、プラスチック等で形成された平面視略矩形状のベース部材の上面に格子を設け、この格子に沿って多数本の葉状片を上方に向けて形成した構造のものが知られている（例えば、特許文献１を参照。）。
【０００３】
特許文献１に記載されている床用敷物は、多数本の葉状片を、垂直状に延びる直立葉状片と、この直立葉状片を高さ方向中間部から屈曲させた屈曲葉状片とに区分し、直立葉状片および屈曲葉状片がそれぞれ形成される領域を区画することにより、所定のパターン模様が形成されるように構成したものである。このような構成によれば、直立葉状片が形成されている領域は、その周囲における屈曲葉状片の形成領域に比して、その高さが高くなっており、しかも個々の直立葉状片は、直立状に起立した姿勢とされていることから、この直立葉状片の形成領域で靴底の汚れなどが良好に除去されることが期待できる。また、直立葉状片の形成領域と屈曲葉状片の形成領域とにより所定のパターン模様が形成されるため、美観の向上の面において優れたものとなる。
【０００４】
しかしながら、たとえば上記構成の床用敷物を屋外で使用すると、犬や猫等の小動物が床用敷物上に侵入する場合がある。そして、かかる小動物は、床用敷物上において稀に糞尿を排泄することもある。このような事態が生じると、靴底の汚れの除去や美観の向上といった上記の床用敷物が有する利点はもはや台無しになってしまい、糞尿を処理するとともに床用敷物を洗浄する必要がある。
【０００５】
【特許文献１】特開平１０−２１６００３号公報
【考案の開示】
【考案が解決しようとする課題】
【０００６】
本考案は、このような事情のもとで考え出されたものであって、ベース部材の上面に多数本の葉状片が上方に向かって形成された床用敷物において、靴底の汚れを適切に除去するとともに、小動物の侵入をも防止することができる床用敷物を提供することを課題としている。
【課題を解決するための手段】
【０００７】
上記の課題を解決するため、本考案では、次の技術的手段を講じている。
【０００８】
本考案によって提供される床用敷物は、平面視略矩形状のベース部材と、上記ベース部材の上面の略全領域において、上方に向かって延びるように平均して形成された多数本の葉状片と、上記ベース部材の上面に上方に向かって延びるように形成された複数の突起と、を備えた、床用敷物であって、上記突起の高さは、上記葉状片の高さよりも高くされているとともに、上記突起の横断面の面積は、上記葉状片の横断面の面積よりも大きくされていることを特徴としている。
【０００９】
このような構成の床用敷物においては、葉状片よりも高さが高くされた複数の突起が形成されている。このため、床用敷物上に犬や猫などの小動物が侵入すると、足裏の肉球で突起を踏みつけることになり、この突起によって、肉球には局部的に大きな荷重がかかる。小動物は、肉球が強い刺激を受けるのを嫌う性質を有するので、上記構成の床用敷物上に侵入して突起を踏むことにより、たちまち床用敷物上から退避することになる。このようなことから、上記構成の床用敷物によると、小動物の侵入を防止することができる。
【００１０】
一方、葉状片は、ベース部材の上面の略全領域に平均して形成されているので、通行人が床用敷物上を通過する際には、靴底が葉状片ないし突起に接触することになり、靴底の汚れを適切に除去することができる。また、葉状片が部分的に偏在している場合と異なり、見栄えの悪化を招くこともない。
【００１１】
加えて、突起は、その横断面の面積が葉状片の横断面の面積よりも大きくされているので、通行人の踏力が繰り返し作用しても、塑性変形を来すことは抑制される。したがって、突起の直立状態が長期間維持されることとなり、小動物の床用敷物への侵入防止効果は適正に持続する。
【００１２】
好ましい実施の形態においては、上記ベース部材の上面には格子が設けられているとともに、この格子の目の少なくとも一部は閉塞されて閉塞部が形成されており、上記葉状片は、上記格子に沿って形成されているとともに、上記突起は、上記閉塞部上に形成されている。
【００１３】
このような構成によれば、格子に沿って葉状片を形成するといった簡易な手段により、多数の葉状片をベース部材の上面にばらつきなく平均して配列させることが可能となる。また、突起は、格子の目の部分にある閉塞部上に形成されることから、突起についてもベース部材の上面にばらつきなく平均して配列させることが可能である。
【００１４】
好ましい実施の形態においては、上記突起は、上記ベース部材の上面の略全領域にわたって形成されている。
【００１５】
このような構成によれば、小動物が床用敷物上に侵入する場合、床用敷物のいずれの部位から侵入しても突起を踏むことになるので、小動物の床用敷物への侵入を確実に防止することができる。
【００１６】
他の好ましい実施の形態においては、上記突起は、上記ベース部材の上面の所定の領域に形成されており、この所定の領域は分離された複数の群からなる。
【００１７】
このような構成によれば、複数の床用敷物を連結して使用する場合に、突起が形成された領域によって所望のパターン模様を形成することができ、床用敷物の見栄えを良好にすることができる。
【００１８】
好ましい実施の形態においては、上記突起は、その横断面の面積が先端に向かうにつれて小さくなるように構成されている。
【００１９】
このような構成によれば、突起は先細り形状となっているので、小動物がこの突起を踏むと、比較的に尖った突起の先端部から肉球に作用する単位面積あたりの荷重はより大きくなり、小動物の床用敷物への侵入防止をより確実にすることができる。また、上記構成について別言すれば、突起の横断面は、基端（ベース部材側）に向かうほど太くされている。これにより、通行人が靴底の汚れを拭うべく履物を前後させてとしても、突起は曲げモーメントが大きく作用する基端側ほど太くされているため、突起の塑性変形をより抑制することができる。
【００２０】
好ましい実施の形態においては、上記突起は、相互に隣接するものどうしの間隔が２ｃｍ以下とされている。
【００２１】
このように突起の間隔が比較的に狭められた構成によれば、小動物が床用敷物上へ侵入すると、足裏の肉球が突起に略確実に当たる。
【００２２】
本考案のその他の特徴および利点は、添付図面を参照して以下に行う詳細な説明によって、より明らかとなろう。
【考案を実施するための最良の形態】
【００２３】
以下、本考案の好ましい実施の形態について、図面を参照して具体的に説明する。
【００２４】
図１は、本考案の第１の実施形態に係る床用敷物Ｘ１を示す全体構成を示す斜視図である。床用敷物Ｘ１は、平面視矩形状のベース部材１と、このベース部材１の上面から上方に向けて直立状に延びる多数本の葉状片２と、ベース部材１の上面から上方に向けて垂直状に延びる複数の突起３とを備え、たとえばＥＶＡ（エチレン酢酸ビニル共重合体）などの熱可塑性樹脂により一体形成されたものである。
【００２５】
より具体的には、図２によく表れているように、ベース部材１は、略一定の厚みを有するとともに格子状に形成された格子部１０を骨格構造として備え、葉状片２は、この格子部１０に沿って略一定間隔を隔てて設けられている。各葉状片２は、全体として扁平状とされており、全ての葉状片２の全長は略同一とされている。これにより、葉状片２の高さは略同一となっている。
【００２６】
ベース部材１においては、格子部１０が形成されることにより、多数の格子の目に相当する部分（格子目１０ａ）が形成されている。そして、図２および図３に示すように、平面視において規則性を有するように選択された複数の格子目１０ａは、閉塞されて閉塞部１０ｂを形成している。本実施形態では、一列おきに閉塞部１０ｂを有する列を設定し、当該列の格子目１０ａのうち１つおきに閉塞部１０ｂを設けている。閉塞部１０ｂが形成されていない残りの格子目１０ａは、上下に貫通している。格子目１０ａの配列ピッチの一例を挙げると、たとえば約９ｍｍである。
【００２７】
各突起３は、各閉塞部１０ｂ上に設けられており、これにより、複数の突起３は、ベース部材１の上面の略全領域にわたって、ばらつきなく平均して配列させられている。上記のように格子目１０ａの配列ピッチが約９ｍｍである場合には、突起３の配列ピッチは、約１８ｍｍとされる。突起３は、先端に向かうほど横断面の面積が小さくされた先細り形状とされており、その横断面形状は、たとえば円形とされている。突起３は、横断面のいずれにおいても、その横断面の面積が葉状片２の横断面の面積よりも大きくされている。全ての突起３は、その高さが略同一とされている。また、突起３の高さは、葉状片２の高さよりも高くされている。
【００２８】
図３および図４に示すように、ベース部材１の底面には、下方に突出する多数の円形状突部１１が所定のピッチで縦横に形成されている。床用敷物Ｘ１がフロア上に置かれると、これら円形状突部１１の底面がフロアに当接することにより、ベース部材１がフロアとの間に所定の隙間をあけてフロア上に支持されるようになっている。
【００２９】
また、図１および図４に示すように、ベース部材１における隣合う２つの側面には、挿通孔を有する複数の半円形筒状部１２が突設されているとともに、他の隣合う２つの側面には、複数の係止部１３が突設されている。１枚の床用敷物Ｘ１における半円形筒状部１２の挿通孔に対して、他の床用敷物Ｘ１における係止部１３を嵌入することにより、２枚の床用敷物Ｘ１を連結することができる。実際の使用に際しては、これと同様の手法により複数枚の床用敷物Ｘ１が縦横に連結される。
【００３０】
次に、上記構成の床用敷物Ｘ１の作用について説明する。
【００３１】
この床用敷物Ｘ１を使用する際には、まず、所望枚数の床用敷物Ｘ１を準備し、これら床用敷物Ｘ１を上述したように縦横に連結して、屋内外の通路やフロアに敷きつめる。
【００３２】
床用敷物Ｘ１においては、上方に向かって延びる複数の突起３が形成されており、これら突起３の高さは、葉状片２の高さよりも高くされている。このため、たとえば床用敷物Ｘ１を屋外で使用する場合などにおいて、犬や猫などの小動物が床用敷物Ｘ１上に侵入したとしても、これら小動物は、足裏の肉球で突起３を踏みつけることになり、この突起３によって、肉球には局部的に大きな荷重がかかる。小動物は、肉球が強い刺激を受けるのを嫌うことから、床用敷物Ｘ１上に侵入して突起３を踏むことより、たちまち床用敷物Ｘ１上から退避することになる。このようなことから、床用敷物Ｘ１によると、小動物の侵入を防止することができる。
【００３３】
一方、床用敷物Ｘ１において、葉状片２は、格子部１０に沿って略一定間隔で設けられていることから、ベース部材１の上面の略全領域に平均して形成されている。このため、通行人が床用敷物Ｘ１上を通過する際には、靴底が葉状片２ないし突起３に接触することになり、靴底の汚れを適切に除去することができる。また、葉状片２が部分的に偏在している場合と異なり、見栄えの悪化を招くこともない。
【００３４】
また、突起３は、その横断面の面積が葉状片２の横断面の面積よりも大きくされているため、床用敷物Ｘ１の使用を通じて人の踏力が繰り返し作用しても、塑性変形を来すことは抑制される。したがって、突起３の直立状態が長期間維持されることとなり、小動物の侵入防止効果は適正に持続する。
【００３５】
床用敷物Ｘ１において、突起３は、ベース部材１の上面の略全領域にわたって形成されているため、小動物が床用敷物Ｘ１上に侵入すると、床用敷物Ｘ１のいずれの部位から侵入しても突起３を踏むことになる。したがって、床用敷物Ｘ１におけるこのような突起３の構成によれば、小動物の床用敷物Ｘ１上への侵入を確実に防止することができる。また、床用敷物Ｘ１における突起３は、相互に隣接するものどうしの間隔が２ｃｍ以下と比較的に狭くされているため、小動物が床用敷物Ｘ１上に侵入すると、足裏の肉球で突起３を踏みつけるのは略不可避である。
【００３６】
加えて、突起３は先細り形状となっているので、小動物がこの突起３を踏むと、比較的に尖った突起３の先端部から肉球に作用する単位面積あたりの荷重はより大きくなり、小動物の床用敷物Ｘ１への侵入防止をより確実にすることができる。また、このような突起３の構成を別言すれば、突起３の横断面は、基端（ベース部材１側）に向かうほど太くなっている。これにより、通行人が靴底の汚れを拭うべく脚を前後させてとしても、突起３は曲げモーメントが大きく作用する基端側ほど太くされているため、この突起３の塑性変形をより抑制することができる。したがって、このような突起３の構成は、小動物の床用敷物Ｘ１への侵入防止効果を長期間持続させるうえで好適である。
【００３７】
図５は、本考案の第２の実施形態に係る床用敷物Ｘ２を表す概略構成図である。床用敷物Ｘ２は、ベース部材１と、多数本の葉状片２と複数の突起３とを備え、基本的な構成については上述した第１の実施形態に係る床用敷物Ｘ１と同様である。
【００３８】
本実施形態の床用敷物Ｘ２と上述の床用敷物Ｘ１とは、突起３の形成領域が異なる点において相違する。床用敷物Ｘ２においては、突起３は、ベース部材１の上面の略全領域にわたって形成されているのではなく、ベース部材１の上面の所定の領域において形成されている。本実施形態では、突起３は、ベース部材１の中央および四隅の合計５箇所に分散された群３’からなる領域に形成されている。
【００３９】
床用敷物Ｘ２を使用する際には、図６に示すように、複数枚の床用敷物Ｘ２を縦横に連結することにより、突起３が形成された領域（群３’）によって所定のパターン模様が形成され、見栄えが良好となる。
【００４０】
以上、本考案の具体的な実施形態を説明したが、本考案はこれに限定されるものではなく、考案の思想から逸脱しない範囲内で種々な変更が可能である。本考案に係る床用敷物の各部の具体的な形状や材質なども、上記実施形態に限定されるものではない。
【００４１】
たとえば、複数の突起としては、横断面形状が円形に限られるものではなく、矩形など他の横断面形状であってもよい。複数の突起が形成される領域についても上記実施形態に限定されない。また、葉状片としては、直立状のものに限定されず、たとえば、直立状の葉状片の先端部を加熱することにより、当該先端部が屈曲状とされたものを採用してもよい。
【図面の簡単な説明】
【００４２】
【図１】本考案の第１の実施形態に係る床用敷物の全体構成を示す斜視図である。
【図２】図１に示す床用敷物の要部拡大斜視図である。
【図３】図１に示す床用敷物の要部拡大縦断面図である。
【図４】図１に示す床用敷物の底面図である。
【図５】本考案の第２の実施形態に係る床用敷物の全体構成を示す斜視図である。
【図６】図５に示す床用敷物の使用状態の一例を示す斜視図である。
【符号の説明】
【００４３】
Ｘ１，Ｘ２    床用敷物
１      ベース部材
２      葉状片
３      突起
３’    群
１０    格子部
１０ａ  格子目
１０ｂ  閉塞部
【図１】
0003129634.tif 000003
【図２】
0003129634.tif 000004
【図３】
0003129634.tif 000005
【図４】
0003129634.tif 000006
【図５】
0003129634.tif 000007
【図６】
0003129634.tif 000008